(57)【要約】【課題】座席付近の空間のタスク冷房を達成することにある。【解決手段】空調空気を吹出す吹出し口前端部と、空調空気を供給される吹出し口後端部と、前記吹出し口前端部と前記吹出し口後端部とを連通させるとともに前記吹出し口後端部から供給された空調空気を前記吹出し口前端部に対し所定の角度で前記吹出し口前端部から吹出させる第１の通気路と、前記第１の通気路と別途に前記吹出し口前端部と前記吹出し口後端部とを連通させるとともに前記吹出し口後端部から供給された空調空気を前記第１の通気路を通って吹出す空調空気に対し交差する向きで前記吹出し口前端部から噴流として吹出させる第２の通気路と、を具えることを特徴とする空調用吹出し口である。【選択図】図１
2016173197.tif 000002
【特許請求の範囲】
【請求項１】
空調空気を吹出す吹出し口前端部と、
空調空気を供給される吹出し口後端部と、
前記吹出し口前端部と前記吹出し口後端部とを連通させるとともに前記吹出し口後端部から供給された空調空気を前記吹出し口前端部に対し所定の角度で前記吹出し口前端部から吹出させる第１の通気路と、
前記第１の通気路と別途に前記吹出し口前端部と前記吹出し口後端部とを連通させるとともに前記吹出し口後端部から供給された空調空気を前記第１の通気路を通って吹出す空調空気に対し交差する向きで前記吹出し口前端部から噴流として吹出させる第２の通気路と、
を具えることを特徴とする空調用吹出し口。
【請求項２】
前記第１の通気路は、前記第２の通気路よりも広い流路断面積を有するとともに、その第１の通気路内で互いに平行に延在する複数枚の羽板を有してルーバーを構成していることを特徴とする、請求項１記載の空調用吹出し口。
【請求項３】
前記第２の通気路は、前記第１の通気路よりも狭い流路断面積を有するとともに、前記吹出し口前端部および前記吹出し口後端部の少なくとも一方と直交する直管状をなしていることを特徴とする、請求項１または２記載の空調用吹出し口。
【請求項４】
前記空調用吹出し口は、空調椅子の後傾した背部の背面に設けられて、前記背部に沿って上方へ流れる空調空気をその背部の上端部付近から後方斜め上方へ吹出すものであることを特徴とする、請求項１から３までの何れか１項記載の空調用吹出し口。
【請求項５】
前記空調用吹出し口は、椅子が設置された段状床の前向きの壁面に前向きに設けられて、前記段状床の床下に供給される空調空気を前記前向きの壁面から前方斜め上方へ吹出すものであることを特徴とする、請求項１から３までの何れか１項記載の空調用吹出し口。
【発明の詳細な説明】
【技術分野】
【０００１】
この発明は、劇場や競技場等で座席の着席者の近傍に空調空気を供給するために用いられる空調用吹出し口に関し、特には限られたスペースで空調空気の吹出し方向を容易に制御し得る空調用吹出し口に関するものである。
【背景技術】
【０００２】
座席の着席者の近傍に空調空気を供給するために用いられる空調用吹出し口としては従来、本願出願人が先に提案した劇場等の空調連結椅子に用いられているものが知られている（特許文献１参照）。この空調連結椅子では、連結椅子の脚部から背部内に供給した空調空気を背部の上端部に設けた空調用吹出し口としてのルーバーから後方斜め上方へ吹き出させて着席者の近傍に空調空気を供給することで、劇場や競技場等で座席付近の空間（居住域）のタスク冷房を行うように構成している。
【先行技術文献】
【特許文献】
【０００３】
【特許文献１】特開平０９−２５２８７７号公報
【発明の開示】
【発明が解決しようとする課題】
【０００４】
ところで、空調用吹出し口について本願発明者が研究を進めたところ、従来の空調用吹出し口としてのルーバーは、空調椅子の後傾した背部に沿って上方へ流れる空調空気を、その背部の上端部付近で複数枚の羽板の隙間から後方斜め上方へ吹出すものであるため、空調空気の吹き出し方向を後方に向けて後の座席の着席者の近傍に空調空気を供給することが困難であり、限られたスペースに設けるルーバーの羽板の向きを背部の延在方向と大きく異ならせて空調空気の吹出し方向を無理に後方へ向けようとしても、羽板での通気抵抗が大きくなって空調効率が低下するだけで、吹出し方向はさほど変えられないということが判明した。
【０００５】
従ってこの発明は、空調用吹出し口における通流抵抗をさほど大きくせずに、限られたスペースで空調空気の吹出し方向を容易に制御し得る空調用吹出し口を提供することを目的とする。
【課題を解決するための手段】
【０００６】
上記課題を有利に解決するこの発明の空調用吹出し口は、
空調空気を吹出す吹出し口前端部と、
空調空気を供給される吹出し口後端部と、
前記吹出し口前端部と前記吹出し口後端部とを連通させるとともに前記吹出し口後端部から供給された空調空気を前記吹出し口前端部に対し所定の角度で前記吹出し口前端部から吹出させる第１の通気路と、
前記第１の通気路と別途に前記吹出し口前端部と前記吹出し口後端部とを連通させるとともに前記吹出し口後端部から供給された空調空気を前記第１の通気路を通って吹出す空調空気に対し交差する向きで前記吹出し口前端部から噴流として吹出させる第２の通気路と、
を具えることを特徴とするものである。
【発明の効果】
【０００７】
かかる空調用吹出し口にあっては、吹出し口後端部から供給される空調空気が、吹出し口前端部と吹出し口後端部とを連通させる第１の通気路を通って、吹出し口前端部に対し所定の角度でその吹出し口前端部から吹出すとともに、第１の通気路と別途に吹出し口前端部と吹出し口後端部とを連通させる第２の通気路を通って、第１の通気路を通って吹出す空調空気に対し交差する向きで吹出し口前端部から噴流となって吹出すことから、それら第１の通気路を通って吹出し口前端部から吹出す空調空気と第２の通気路を通って吹出し口前端部から吹出す空調空気とが吹出し口前端部の前方で交差してコアンダ効果が生じて、第２の通気路を通って噴流として吹出す空調空気に第１の通気路を通って吹出す空調空気が引き寄せられるので、第１の通気路を通って吹出す空調空気が、吹出し口前端部からの吹出し方向と異なり、第２の通気路を通って吹出す空調空気の吹出し口前端部からの吹出し方向に近い方向の気流を形成する。
【０００８】
従って、この発明の空調用吹出し口によれば、第１の通気路と第２の通気路との各々がさほど長くなくても空調空気の吹出し方向を効果的に変えられるので、空調用吹出し口における通流抵抗をさほど大きくせずに、限られたスペースで空調空気の吹出し方向を容易に制御することができる。
【０００９】
なお、この発明の空調用吹出し口においては、前記第１の通気路は、前記第２の通気路よりも広い流路断面積を有するとともに、その第１の通気路内で互いに平行に延在する複数枚の羽板を有してルーバーを構成していても良く、このようにすれば、多量の空調空気を吹出し口前端部からある程度任意の向きに吹出させることができる。
【００１０】
また、この発明の空調用吹出し口においては、前記第２の通気路は、前記第１の通気路よりも狭い流路断面積を有するとともに、前記吹出し口前端部および前記吹出し口後端部の少なくとも一方と直交する直管状をなしていても良く、このようにすれば、通気抵抗が最小限に抑えられるので噴流を容易に形成することができる。
【００１１】
また、この発明の空調用吹出し口においては、前記空調用吹出し口は、空調椅子の後傾した背部の背面に設けられて、前記背部に沿って上方へ流れる空調空気をその背部の上端部付近から後方斜め上方へ吹出すものであっても良く、このようにすれば、劇場や競技場等で着席者の近傍に空調空気を供給して、座席付近の空間（居住域）のタスク冷房を行うことができる。
【００１２】
あるいは前記空調用吹出し口は、椅子が設置された段状床の前向きの壁面に前向きに設けられて、前記段状床の床下に供給される空調空気を前記前向きの壁面から前方斜め上方へ吹出すものであっても良く、このようにしても、劇場や競技場等で着席者の近傍に空調空気を供給して、座席付近の空間（居住域）のタスク冷房を行うことができる。
【図面の簡単な説明】
【００１３】
【図１】（ａ），（ｂ），（ｃ）および（ｄ）は、この発明の空調用吹出し口の一実施例を示す正面図、平面図、底面図および側面図である。
【図２】（ａ）および（ｂ）は、上記実施例の空調用吹出し口を示す背面図および図１（ａ）のＡ−Ａ線に沿う断面図である。
【図３】（ａ）および（ｂ）は、上記実施例の空調用吹出し口を適用した空調連結椅子を示す側面図および背面図である。
【図４】（ａ）および（ｂ）は、上記実施例の空調用吹出し口を適用した連結椅子用段状床を示す正面図および一部切欠き側面図である。
【発明を実施するための形態】
【００１４】
以下に、この発明の実施の形態を実施例によって、図面に基づき詳細に説明する。ここに、図１（ａ），図１（ｂ），図１（ｃ）および図１（ｄ）は、この発明の空調用吹出し口の一実施例を示す正面図、平面図、底面図および側面図であり、図２（ａ）および図２（ｂ）は、上記実施例の空調用吹出し口を示す背面図および図１（ａ）のＡ−Ａ線に沿う断面図である。
【００１５】
この実施例の空調用吹出し口は、空調空気を吹出す例えば側方視で平坦な吹出し口前端部１と、吹出し口前端部１と平行をなし、空調空気を供給される例えば側方視で平坦な吹出し口後端部２と、吹出し口前端部１と吹出し口後端部２とを連通させるとともに吹出し口後端部２から供給された空調空気を吹出し口前端部１に対し所定の角度、例えば図１（ｄ）および図２（ｂ）では左斜め上方に向けて吹出し口前端部１を含む平面に対し例えば約４５度の角度でその吹出し口前端部１から吹出させる第１の通気路３と、第１の通気路３と別途に吹出し口前端部１と吹出し口後端部２とを連通させるとともに吹出し口後端部２から供給された空調空気を第１の通気路３を通って吹出す空調空気に対し交差する向き（図１（ｄ）および図２（ｂ）では左方に向けて吹出し口前端部１を含む平面に対し例えば直交する向き）で吹出し口前端部１から噴流として吹出させる第２の通気路４とを具え、全体として厚い円盤状をなしている。
【００１６】
ここで、吹出し口前端部１は、外周フランジ１ａを有して吹出し口後端部２よりも大径をなしており、この実施例の空調用吹き出し口を例えば後述する連結空調椅子の背部の背面等の装着場所に形成された丸孔内に装着すると、外周フランジ１ａでその丸孔の周囲の壁部に掛合することができるので、その掛合状態でこの実施例の空調用吹き出し口を回転させて空調空気の吹出し方向を所望の方向に向けた後、外周フランジ１ａの接着等によってこの実施例の空調用吹き出し口を装着場所に固定することができる。
【００１７】
また、第１の通気路３は、第２の通気路４よりも広い流路断面積を有するとともに、その第１の通気路３内で互いに概ね平行に延在する複数枚の羽板３ａを有してルーバーを構成しており、複数枚の羽板３ａは、例えば図１（ａ）および図２（ａ）では左右方向に延在している。これにより、多量の空調空気を吹出し口前端部１から上記所定の角度で吹出させることができる。
【００１８】
そして、第２の通気路４は、第１の通気路３よりも狭い流路断面積を有するとともに、互いに平行な吹出し口前端部１および吹出し口後端部２と直交して延在する直管状をなしており、これにより、通気抵抗が最小限に抑えられるので噴流を容易に形成することができる。
【００１９】
なお、このような構成の空調用吹出し口は、例えば左右半部をそれぞれ樹脂材料から射出成形で形成した後、それらの半部を溶着あるいは接着等により接合することで形成することができる。また、羽板３ａを図示例の波形断面形状のものから平坦な断面形状のものに変更した場合には、樹脂材料から射出成形で全体を一度に形成することができる。
【００２０】
上述の如く構成されたこの実施例の空調用吹出し口にあっては、吹出し口後端部２から供給される空調空気が、吹出し口前端部１と吹出し口後端部２とを連通させる第１の通気路３を通って、吹出し口前端部１からその吹出し口前端部１に対し所定の角度、例えば図１（ｄ）および図２（ｂ）では左斜め上方に向けて吹出し口前端部１を含む平面に対し例えば約４５度の角度で吹出すとともに、これも吹出し口後端部２から供給される空調空気が、第１の通気路３と別途に吹出し口前端部１と吹出し口後端部２とを連通させる第２の通気路４を通って吹出し口前端部１から、第１の通気路３を通って吹出す空調空気に対し交差する向き、例えば図１（ｄ）および図２（ｂ）では左方水平方向へ噴流となって吹出す。
【００２１】
それゆえ、第１の通気路３を通って吹出し口前端部１から吹出す空調空気と第２の通気路４を通って吹出し口前端部１から吹出す空調空気とが吹出し口前端部１の前方で交差してそこでコアンダ効果が生じ、第２の通気路４を通って噴流として吹出す空調空気に第１の通気路３を通って吹出す空調空気が引き寄せられるので、第１の通気路３を通って吹出す多量の空調空気が、吹出し口前端部１からの吹出し方向と異なり、第２の通気路４を通って吹出す空調空気の吹出し口前端部１に直交する吹出し方向に近い方向、例えば図１（ｄ）および図２（ｂ）では水平に近い左斜め上方へ向かう気流を形成する。
【００２２】
従って、この実施例の空調用吹出し口によれば、第１の通気路３と第２の通気路４との各々がさほど長くなくても多量の空調空気の吹出し方向を効果的に変えられるので、空調用吹出し口における通流抵抗をさほど大きくせずに、限られたスペースで空調空気の吹出し方向を容易に制御することができる。
【００２３】
図３（ａ）および図３（ｂ）は、上記実施例の空調用吹出し口を適用した空調連結椅子を示す側面図および背面図であり、図中、符号１１は、閉鎖空間を持つ劇場や会議場あるいは、競技エリアに向く前方が開かれるとともに上方および後方が屋根で覆われた半開放空間を待つサッカー場や競技場等に設けられた段状床、１２は、その段状床１１の前向きの壁面、２１は、その前向きの壁面１２に設けられた空調連結椅子をそれぞれ示す。
【００２４】
ここにおける空調連結椅子２１は通常の座起立式のもので、前向きの壁面１２に下端部を固定されるとともに上端部に肘部２２を持つ左右の板状の脚部２３と、それらの脚部２３の間に配置されてそれらの脚部２３に両側から固定支持された背部２４と、それらの脚部２３の間に配置された座部２５とを具えており、ここで、座部２５は水平方向へ延在する図示しない支持軸を介して、図３（ａ）に実線で示す、着座者Ｐが着座し得る略水平な着座位置と、図３（ａ）に仮想線で示す、前方を観客が通行可能な起き上がった待機位置との間で起倒可能に支持されるとともに、図示しないスプリングでその待機位置へ向けて常時回動付勢されている。
【００２５】
この空調連結椅子２１はまた、段状床１１の前向きの壁面１２と脚部２３との間に配置され空調空気ダクトＤを介して図示しない空調装置に接続された空調空気供給路２６と、その空調空気供給路２６に接続されるとともに背部２４内でその背部２４に沿って上下方向へ延在する図示しない空調空気通路と、吹出し口前端部１を後方へ向けて背部２４の背面に設けられた上記実施例の空調用吹出し口２７とを具えており、この空調用吹出し口２７のここでは図示しない吹出し口後端部２は、背部２４内の上記空調空気通路の上端部に接続されている。
【００２６】
これにより、上記空調装置から空調空気ダクトＤおよび空調空気供給路２６を介し背部２４内の空調空気通路を背部２４の傾斜に沿って背部２４の背面上部の空調用吹出し口２７まで供給された冷房空気が、空調用吹出し口２７のコアンダ効果で、図３（ａ）に示すように、後傾した背部２４の背面上部から水平に近い斜め上方へ吹き出す気流Ｃとなって、後方の座席の着席者の近傍に供給されるので、閉鎖空間を持つ劇場や会議場の他、半開放空間を持つサッカー場や競技場等で座席付近の空間（居住域）のタスク冷房を効果的に行うことができる。
【００２７】
図４（ａ）および図４（ｂ）は、上記実施例の空調用吹出し口を適用した連結椅子用段状床を示す正面図および一部切欠き側面図であり、この図中、先の図に示す部分と同様の部分はそれと同一の符号にて示す。すなわち、符号１１は、閉鎖空間を持つ劇場や会議場あるいは、競技エリアに向く前方が開かれるとともに上方および後方が屋根で覆われた半開放空間を待つサッカー場や競技場等に設けられた段状床、１２は、その段状床１１の前向きの壁面、２１は、その前向きの壁面１２に設けられた空調連結椅子をそれぞれ示し、この連結椅子２１は、背部２４内に空調空気通路を持たない点を除けば、図３に示す連結椅子２１と同様のものである。
【００２８】
一方ここでは、図４（ｂ）に示すように、空調空気ダクトＤが段状床１１の各段の内部に埋設され、また、上記実施例の空調用吹出し口２７は、図４（ａ），（ｂ）に示すように、吹出し口前端部１を前方へ向けて段状床１１の各段の前向きの壁面１２に設けられており、その空調用吹出し口２７の吹出し口後端部２が、段状床１１の各段の内部の空調空気ダクトＤに直接接続されている。
【００２９】
これにより、上記空調装置から空調空気ダクトＤを介して空調用吹出し口２７の供給された冷房空気が空調用吹出し口２７のコアンダ効果で、図４（ａ），（ｂ）に示すように、段状床１１の各段の前向きの壁面１２から水平に近い斜め上方へ吹き出す気流Ｃとなって、前方の座席の着席者の近傍に供給されるので、閉鎖空間を持つ劇場や会議場の他、半開放空間を持つサッカー場や競技場等で座席付近の空間（居住域）のタスク冷房を効果的に行うことができる。
【００３０】
以上、図示例に基づき説明したが、この発明の空調用吹出し口は上述の例に限定されるものでなく、特許請求の範囲の記載の範囲内で適宜変更し得るものであり、例えば第１の通気路３の羽板３ａは、既知のルーバーにおけるように傾斜角度を連動して変更可能に支持されていても良く、また第２の通気路４は、１本のまたは複数本並んだ円筒状の通路からなるものでも良い。そして空調用吹出し口の形状は円盤状でなく矩形の厚板状であっても良く、その空調用吹出し口の配置や用途は、上述の例に限られない。
【産業上の利用可能性】
【００３１】
かくしてこの発明の空調用吹出し口によれば、第１の通気路と第２の通気路との各々がさほど長くなくても空調空気の吹出し方向を効果的に変えられるので、空調用吹出し口における通流抵抗をさほど大きくせずに、限られたスペースで空調空気の吹出し方向を容易に制御することができる。
【符号の説明】
【００３２】
１  吹出し口前端部
１ａ  外周フランジ
２  吹出し口後端部
３  第１の通気路
３ａ  羽板
４  第２の通気路
１１  段状床
１２  壁面
２２  肘部
２３  脚部
２４  背部
２５  座部
２６  空調空気供給路
２７  空調用吹出し口
Ｃ  気流
Ｄ  空調空気ダクト
【図１】
2016173197.tif 000003
【図２】
2016173197.tif 000004
【図３】
2016173197.tif 000005
【図４】
2016173197.tif 000006